(57)【要約】【課題】  建物開口部下側部に取り付けられる水切部材であって、開口部周りの施工構造や開口部周りに留め付けられる外装材の厚さに関わらず、常に外装材表面と水切部材前面部との間に十分な間隔を確保することができる水切部材を提供する。【解決手段】  水切部材１０が、躯体側に固定される固定部１１と、固定部１１の下端から斜め下方に延びる斜面部１２と、斜面部１２の下端から下方に延びる前面部１５とを備えていて、斜面部１２は、固定部１１に連なる第１斜面部１３と、前面部１５に連なる第２斜面部１４とからなり、第２斜面部１４の第１斜面部１３からの突出幅を調節することができるようになっている。【選択図】  図１
2005232857.tif 000002
【特許請求の範囲】
【請求項１】
建物開口部の下側部に取り付けられる水切部材であって、建物躯体側に固定される固定部と、該固定部の下端から表面側へ斜め下方に延出する斜面部と、該斜面部の下端から下方に延びる前面部とからなっており、前記斜面部は、その固定部からの延出幅を変化させることができる機構を有することを特徴とする水切部材。
【請求項２】
前記斜面部が、前記固定部に連なる第１斜面部と、前記前面部に連なる第２斜面部とからなり、前記第１斜面部の下面側に、該第１斜面部との間に第２斜面部を摺動可能に挟持する挟持部を備えることにより、前記機構が形成されていることを特徴とする請求項１記載の水切部材。
【請求項３】
前記挟持部は、前記固定部の下端から前記第１斜面部の下面側に延出する基板部と、該基板部の先端を上方に折り曲げて前記第１斜面部下面に衝接させることにより形成した衝接部とからなり、前記第２斜面部は、少なくともその一部が前記基板部と第１斜面部との間に収容された状態で、前記衝接部と第１斜面部との間に挟持されていることを特徴とする請求項２記載の開口部下側部水切部材。
【請求項４】
前記挟持部の基板部と前記第１斜面部との間に収容された前記第２斜面部の先端に、該第２斜面部の一部を下方に折り曲げることにより形成された折曲部を備えていることを特徴とする請求項３記載の開口部下側部水切部材。
【請求項５】
前記第２斜面部の折曲部の先端近傍が前記挟持部の基板部に衝接されていることを特徴とする請求項４記載の開口部下側部水切部材。
【請求項６】
既存の建物開口部周りのリフォームとして、既存の外壁の上から新たな外装材が留め付けられており、開口部周りの下側部には、請求項１から５のいずれかに記載の水切部材が、前記斜面部の固定部からの延出幅を固定した状態で取り付けられていることを特徴とする開口部下側部施工構造。
【請求項７】
前記水切部材の開口部下側部への固定は、前記固定部を既存の外壁に固定することにより行われていることを特徴とする請求項６記載の開口部下側部施工構造。
【請求項８】
前記水切部材の開口部下側部への固定は、前記固定部を既存の窓枠サッシに固定することにより行われていることを特徴とする請求項６記載の開口部下側部施工構造。
【発明の詳細な説明】
【技術分野】
【０００１】
本発明は、建物外壁における窓等の開口部の周りの施工、特に既存の外壁面に新たな外装材を張り付けてリフォームを行う際の施工において、開口部下側部に取り付けられる水切部材、および該水切部材を用いた開口部下側部施工構造に関する。
【背景技術】
【０００２】
既存の建物のリフォームに際して、その外壁面に新たな化粧板を張り付けることが行われる。外壁面に窓部のような開口部が形成されている場合には、その部分に化粧板が位置しないように施工する必要がある。そのために、化粧板が軽量コンクリート板のような長尺状の外装材である場合、通常、施工現場で適切な長さに切断することが行われる。従って、新たに形成される開口部の４周周囲には、外装材の端面部（側端面や切断木口面）や、外装材を取り付けるための胴縁の側面が露出した状態となる。外装材の側端面や切断木口面は防水性が必ずしも十分でなく、見た目の意匠性にも欠けることから、リフォーム後の建物において、新たに形成された開口部の４周面がそのままで放置されることは好ましくなく、新たに張り付けた外装材の端面部を何らかの手段で覆うことが必要となる。
【０００３】
そこで、開口部の４周面にそれぞれ化粧部材を取り付けて外装材端面部を覆うことが行われている（例えば、特許文献１および２参照）。図１０は、特許文献１に記載される開口部周りの施工構造を示す斜視図であり、開口部６０の４周面に化粧部材４０ａ，４０ｂ，４０ｃ，３０Ａを取り付けて外装材Ｂの端面部を覆っている。図１１は、開口部６０下側部付近を拡大して示す断面図である。既存壁Ｗは、建物の躯体５１に木摺５３を取り付け、該木摺５３を利用してモルタル壁等の外壁Ａに仕上げられたものである。開口部６０の４周には、既にシーリング材５５やバックアップ材５６を介在して窓枠サッシ５０が取り付けられている。このような既存の開口部６０周りのリフォームとして、開口部６０の４周に沿って、通常使用されるものよりも厚みのある胴縁３が外壁Ａに対して釘５で打ち付け固定され、胴縁３に対して化粧部材４０ａ，４０ｂ，４０ｃ，３０Ａが釘５で固定される。また、固定された胴縁３の内側端面（木口端面）を覆うように断面Ｌ字状をなす鋼板製の被覆材６が取り付けられる。
【０００４】
このような化粧部材４０ａ，４０ｂ，４０ｃ，３０Ａのうち、開口部６０下側部に取り付けられる化粧部材３０Ａは、外装材の裏側に雨水等が浸入するのを防ぐ水切部材としての役割を果たすものである（以下、「化粧部材３０Ａ」のことを「水切部材３０Ａ」という）。水切部材３０Ａの前面部３５の裏側には板押さえ部３６が形成されており、この板押さえ部３６が外装材Ｂの表面に当接することにより、雨水等がそれ以上内部に浸入できないようになっている。
【０００５】
このような水切部材の他の例として、図１２に示すようなものも知られている（特許文献３参照）。この水切部材３０Ｂにおいては、図１１に示した水切部材３０Ａに見られたような板押さえ部３６は設けられていないが、そのかわり、水切部材３０Ｂの斜面部３２が外装材Ｂよりも外側に大きく延出することにより、水切部材３０Ｂ先端の前面部３３と外装材Ｂとの間に十分な間隔が空けられるようにしている。それにより、水切部材３０Ｂの前面部３３を伝わり落ちて来た雨水が吹き込まれて外装材Ｂの背面側へ侵入するのを防いでいる。
【０００６】
水切部材のさらに他の例として、図１３に示すようなものも知られている（特許文献４参照）。この水切部材３０Ｃは、図１１に示した水切部材３０Ａと同様に、前面部３３の裏側に形成された板押さえ部３６が外装材Ｂの表面に当接することにより、雨水等がそれ以上内部に浸入できないようになっている。そして、この水切部材３０Ｃにおいては、前面部３３ａの裏側に予備の前面部３３ｂ，３３ｃが設けられており、外装材Ｂの厚みに応じて水切部材３０Ｃの一部を切断して使用することができるようになっている。
【０００７】
【特許文献１】特許第３４５９４０５号
【特許文献２】特開２００２−１８８２７９号公報
【特許文献３】特願２００２−３４２３０１号
【特許文献４】特許第３２３４１９８号
【発明の開示】
【発明が解決しようとする課題】
【０００８】
図１１に示した水切部材３０Ａは、板押さえ部３６が外装材Ｂに当接することにより水が浸入するのを防ぐものであり、固定部３１を含む仮想平面と板押さえ部３６先端との間隔が、外装材Ｂの厚みと等しくなるように寸法が決められている。従って、この寸法に適合しない外装材は使用することができず、留め付けることのできる外装材は制限されてしまうことになる。また、板押さえ部３６が外装材Ｂに当接するためには、固定部３１と外装材Ｂの裏面とが同一平面上に配置される必要があり、そのため、水切部材３０Ａと既存壁Ｗとの間に、必要に応じてスペーサを介在させる必要があり、施工に手間がかかる。さらに、胴縁３の上端を被覆材６で覆う作業も必要となる。
【０００９】
また、図１１に示されるように既存の窓枠サッシ５０がその周囲の外壁Ａよりも外側に張り出している場合であれば、外壁Ａとその表面に留め付けた胴縁３との接合部は窓枠サッシ５０によって覆われるので問題はない。しかし、既存の窓枠が内付けサッシである場合には、外壁Ａが窓枠よりも外側に張り出しているため、外壁Ａとその表面に留め付けた胴縁３との接合部はサッシによって覆われず、外部に露出することになり、この接合部付近から雨水等が浸入してしまう。従って、既存の窓枠が内付けサッシである場合には水切部材３０Ａを使用することはできないことになる。
【００１０】
図１２に示した水切部材３０Ｂの場合、図１１の水切部材３０Ａに形成されていたような板押さえ部３６は備えていないので、板押さえ部３６の位置によって使用できる外装材Ｂの厚みが限定されてしまうようなことはない。しかしながら、水切部材３０Ｂが有効に水切機能を発揮するためには、その前面部３３と外装材Ｂ表面との間に３０ｍｍ以上の間隔が空けられている必要がある。この間隔が確保されない場合には、前面部３３を伝わり落ちて来た雨水が外装材Ｂの表面に付着して、雨だれによる外装材Ｂの汚れや、寒冷地においては結露水の氷着による塗膜剥離などの不具合を招く恐れがあり、外観を大きく損なってしまう。このような事情から、厚みの大きな外装材は使用することができない。
【００１１】
また、水切部材３０Ｂは、それが留め付けられる胴縁３の上端を覆うカバー面３４を備えているため、図１１の水切部材３０Ａのように胴縁３を覆う被覆材６を別途留め付ける必要はなく、施工の手間は省かれる。しかしながら、図１１の水切部材３０Ａと同様に、既存の窓枠が内付けサッシであるような場合には、外壁Ａとその表面に留め付けた胴縁３との接合部が外部に露出してしまうことになる。従って、図１２の水切部材３０Ｂも、既存の窓枠が内付けサッシである場合には使用することができない。
【００１２】
図１３に示した水切部材３０Ｃの場合は、使用する外装材Ｂの厚みに応じて水切部材３０Ｃの一部を切断するという作業が必要であり、施工に手間がかかるうえ、部材の一部を廃棄することになりコストも高くつく。
【００１３】
本発明は上記のような事情に鑑みてなされたものであり、建物開口部下側部に使用される水切部材であって、開口部周りの施工構造や開口部周りに留め付けられる外装材の厚さに関わらず、常に外装材表面と水切部材前面部との間に十分な間隔を確保することが可能な水切部材を提供することを目的とする。また、本発明の他の目的は、そのような水切部材を用いた、施工が容易でかつ防水性の高い開口部下側部施工構造を提供することである。
【課題を解決するための手段】
【００１４】
本発明による水切部材は、建物開口部の下側部に取り付けられる水切部材であって、建物躯体側に固定される固定部と、該固定部の下端から表面側へ斜め下方に延出する斜面部と、該斜面部の下端から下方に延びる前面部とからなっており、前記斜面部は、その固定部からの延出幅を変化させることができる機構を有することを特徴とする。
【００１５】
本発明による水切部材を使用すれば、斜面部の固定部からの延出幅を調節することにより、建物開口部周りの施工構造や開口部周りに留め付けられる外装材の厚さに関わらず、常に外装材表面と水切部材前面部との間に十分な間隔を確保することができる。例えば、胴縁を介さずに、水切部材を直接外壁に固定する施工構造とする場合や、開口部周りに厚みの大きい外装材を留め付ける場合等であっても、水切部材の斜面部の延出幅を調節することにより、外装材表面と水切部材前面部との間に十分な間隔を確保することができる。従って、本発明による水切部材は、様々な構造の既存壁のリフォームの際に使用することが可能であるし、その際開口部周りに留め付ける外装材も様々な厚さのものを採用することができる。
【００１６】
好ましい態様において、前記斜面部が、前記固定部に連なる第１斜面部と、前記前面部に連なる第２斜面部とからなり、前記第１斜面部の下面側に、該第１斜面部との間に第２斜面部を摺動可能に挟持する挟持部を備えることにより、前記機構が形成されている。本態様による水切部材は、簡単な構成によって斜面部の延出幅を変化させることができるようにされており、第２斜面部の第１斜面部からの突出幅を変化させることにより、斜面部の固定部からの延出幅を容易に調節することができる。なお、挟持部は、第１斜面部との間に第２斜面部を挟持した状態で第２斜面部の第１斜面部からの突出幅を調節できることを条件に、様々な構成とすることが可能である。例えば、後に説明する実施例では、第２斜面部を収容する部分である基板部が挟持部に設けられているが、このような収容部分を設けずに、挟持に必要な最低限の部材だけで挟持部を構成するようにしてもよい。
【００１７】
好ましい態様において、前記挟持部は、前記固定部の下端から前記第１斜面部の下面側に延出する基板部と、該基板部の先端を上方に折り曲げて前記第１斜面部下面に衝接させることにより形成した衝接部とからなり、前記第２斜面部は、少なくともその一部が前記基板部と第１斜面部との間に収容された状態で、前記衝接部と第１斜面部との間に挟持されている。本態様においては、挟持部が簡単な構成とされており、製造が容易である。
【００１８】
好ましい態様において、前記挟持部の基板部と前記第１斜面部との間に収容された前記第２斜面部の先端に、該第２斜面部の一部を下方に折り曲げることにより形成された折曲部を備えている。本態様においては、第１斜面部と第２斜面部とを互いに離れる方向に引っ張る力が働いたとしても、第２斜面部の折曲部が挟持部の衝接部に引っ掛かるので、第一斜面部と第２斜面部とが分離するのを防ぐことができる。より好ましくは、前記第２斜面部の折曲部の先端近傍が前記挟持部の基板部に衝接されるようにすれば、第２斜面部の挟持状態はより安定したものとなり、第１斜面部からの突出幅の調節もより円滑に行うことができる。
【００１９】
本発明は、さらに、既存の建物開口部周りのリフォームとして、既存の外壁の上から新たな外装材が留め付けられており、開口部周りの下側部には、上記水切部材が、前記斜面部の固定部からの延出幅を固定した状態で取り付けられていることを特徴とする開口部下側部施工構造をも開示する。本発明によれば、水切部材の斜面部の延出幅を調節することにより、厚みの大きい外装材を留め付ける場合であっても、外装材表面と水切部材前面部との間に十分な間隔を空けることができる。なお、斜面部の固定部からの延出幅を固定するにあたっては様々な方法をとることが可能であるが、例えば、挟持部と第２斜面部との境界線に沿って接着テープを貼り付けるなどしてもよい。
【００２０】
好ましい態様において、前記水切部材の開口部下側部への固定は、前記固定部を既存の外壁に固定することにより行われている。本態様においては、図９や図１０に示した施工構造のように既存の外壁Ａに胴縁３や被覆材３４を取り付ける作業は行わず、既存の外壁に直接水切部材を固定するので、施工が容易である。
【００２１】
好ましい態様において、前記水切部材の開口部下側部への固定は、前記固定部を既存の窓枠サッシに固定することにより行われている。本態様においては、既存の窓枠サッシが内付けサッシとされている場合であっても、既存の外壁とその表面に留め付けた胴縁との接合部は水切部材によって覆われるので、接合部への雨水等の浸入を防ぐことができる。
【発明の効果】
【００２２】
上記のように、本発明による水切部材は、様々な構造の既存壁のリフォームの際に開口部下側部の水切として使用することができ、しかもリフォームの際に開口部周りに留め付ける外装材として様々な厚みのものを使用することが可能である。また、本発明による開口部下側部施工構造は施工が容易でかつ防水性も高い。
【発明を実施するための最良の形態】
【００２３】
以下、図面を参照しながら、本発明の好ましい実施の形態を説明する。図１は本発明の一実施態様による開口部下側部水切部材を示す斜視図である。この水切部材１０は、躯体側への固定面となる固定部１１と、固定部１１の下端から表面側へ斜め下方に延びる斜面部１２と、斜面部１２の下端から下方に延びる前面部１５とからなる。斜面部１２は、固定部１１に連なる第１斜面部１３と、前面部１５に連なる第２斜面部１４とからなり、第１斜面部１３の下方には、当該第１斜面部１３との間に第２斜面部１４を挟持することができる挟持部１６を備えている。そして、挟持部１６に第２斜面部１４を挟持させた状態で、第２斜面部１４の第１斜面部１３からの突出幅を調節することができるようになっている。
【００２４】
上記構成とされた水切部材１０は、図２に示すような２つの部材、すなわち第１構成部材１０ａと第２構成部材１０ｂとを結合することによって形成される。図３（ａ）および図３（ｂ）は、それぞれ図２のＩＩＩａ―ＩＩＩａ線およびＩＩＩｂ−ＩＩＩｂ線による断面図である。第１構成部材１０ａは固定部１１と第１斜面部１３と挟持部１６とからなり、第２構成部材１０ｂは前面部１５と第２斜面部１４とからなっており、これら構成部材１０ａ，１０ｂはいずれも１枚の鋼板の折り曲げ加工により製造されている。
【００２５】
すなわち、第１構成部材１０ａを形成するに当たっては、まず、固定部１１の下方部分を表面側に折り曲げた後、この折り曲げた部分の下側に重ねるようにして折り返すことにより、２枚の板が積層された第１斜面部１３を形成する。次に、折り返した部分の先端を再び固定部１１の表面側に折り返すことにより、第１斜面部１３とほぼ平行に延びる基板部１６ｂを形成し、さらに、この基板部１６ｂの先端を上方に折り曲げて衝接部１６ａを形成する。衝接部１６ａはその先端近傍が第１斜面部１３の先端部分の下面に衝接されており、この衝接部１６ａと基板部１６ｂとで挟持部１６を構成している。さらに、固定部１１の強度を高めるため、固定部１１の上側の側部を裏面側に折り返して折り返し部１１ａを形成する。
【００２６】
第２構成部材１０ｂを形成するに当たっては、第２斜面部１４の一方の側を下方に折り曲げることにより前面部１５を形成するとともに、他方の側を下方に折り曲げることにより折曲部１４ａを形成する。そして、前面部１５の強度を高めるため、前面部１５の下側の側部を裏面側に折り返して折り返し部１５ａを形成する。このようにして形成した第２構成部材１０ｂの第２斜面部１４の折曲部１４ａを、第１構成部材１０ａの第１斜面部１３と挟持部１６との間に挿入することにより、２つの構成部材１０ａ，１０ｂが結合され、水切部材１０が完成する。完成した状態では、第２斜面部１４の折曲部１４ａの先端近傍が挟持部１６の基板部１６ｂに衝接する。
【００２７】
図４は、このようにして形成した水切部材１０の、斜面部１２の固定部１１からの延出幅を最大にした状態を示す斜視図である。この状態では、第２斜面部１４のうち、折曲部１４ａ近傍のみが第１斜面部１３と挟持部１６との間に収容されており、第２斜面部１４の大部分は第１斜面部の外部に突出している。一方、図５は斜面部１２の延出幅を最小にした状態を示す斜視図であり、この状態では、第２斜面部１４全体が第１斜面部１３と挟持部１６との間に収容されている。このような最大の延出幅と最小の延出幅との間で斜面部１２の延出幅を調節することが可能である。
【００２８】
次に、以上説明した水切部材１０を用いて既存の建物の開口部周りのリフォームを行った、開口部下側部施工構造の様々な実施例について説明する。図６は、既存の建物の外壁の上から新たな外装材を留め付けてリフォームを行った開口部下側部施工構造を示す断面図である。既存壁Ｗの構成は図１１に示したものと同様であり、同じ部材に同じ符号を付すことにより説明は省略する。本実施例による開口部下側部施工構造では、既存の窓枠サッシ５０の下方において、水切部材１０の固定部１１が既存の外壁Ａに対してビス６４を用いて固定されている。そして、水切部材１０の下方において、通常使用されるものよりも厚みのある胴縁６１が外壁Ａに対してコーススレッド等の長ビス６２を用いて固定され、この胴縁６１に対して、新たな外装材Ｂが釘６３を用いて固定されている。そして、水切部材１０の前面部１５の裏面と外装材Ｂの表面との間隔が３０ｍｍ以上となるように、斜面部１２の固定部１１からの延出幅が調節されている。本実施例による施工構造は、胴縁等を介さず既存の外壁Ａに直接水切部材１０を留め付けているため施工が容易であり、しかも、水切部材１０の前面部１５と外装材Ｂとの間に十分な間隔が空けられているため、前面部１５を伝わり落ちて来た雨水等が外装材Ｂ表面に付着することはない。
【００２９】
図７は、本発明による開口部下側部施工構造の他の実施例を示す断面図である。本実施例は、外装材Ｂの留め付けにあたって留め付け金具２０を用いた点のみが図６の実施例と異なっており、その他の構成は図６に示したものと同様である。すなわち、本実施例では、留め付け金具２０を外装材Ｂの実部に係止した状態で、当該留め付け金具２０を釘６３を用いて胴縁６１に固定することにより、外装材Ｂの留め付けを行っている。本実施例では、外装材Ｂと胴縁６１との間に留め付け金具２０が介在する分、外装材Ｂの表面が外側に張り出すことになるが、水切部材１０の斜面部１２の延出幅を大きくすることにより、前面部１５と外装材Ｂ表面との間に十分な間隔を確保している。
【００３０】
図８は、本発明による開口部下側部施工構造のさらに他の実施例を示す断面図である。図６や図７に示した実施例における既存の窓枠サッシ５０は半外付けサッシとされていたが、図８における既存の窓枠サッシ５０は外付けサッシとされており、サッシ５０の前面が既存の外壁Ａよりも外側に張り出している。このような場合であっても、水切部材１０や外装材Ｂは図６や図７に示した実施例と同様にして取り付けることができ、すなわち、窓枠サッシ５０の下方において、水切部材１０の固定部１１が既存の外壁Ａに対してビス６４を用いて固定されている。外装材Ｂも、図６に示した実施例と同様にして、胴縁６１を介して外壁Ａに留め付けている。
【００３１】
図９は、本発明による開口部下側部施工構造のさらに他の実施例を示す断面図であり、ここでは、既存の窓枠サッシ５０が内付けサッシとされている場合の実施例を示している。本実施例における既存壁Ｗは、ＲＣ壁７１の表面にモルタル層７２が形成されたものであり、この既存壁Ｗのリフォームとして、モルタル層７２の上から鉄骨下地６５をビス６２で固定し、この鉄骨下地６５にスペーサー６６を介してビス６３で外装材Ｂを固定している。そして、本実施例では、水切部材１０Ａを、外壁Ａではなく窓枠サッシ５０の下端に取り付けている。
【００３２】
本実施例における水切部材１０Ａは、これまでに説明した水切部材１０とは固定部１１の形状が異なっており、固定部１１の裏面側に水平延出部１１ｂが形成されている。この水平延出部１１ｂは、固定部１１の上方部分を裏面側に折り返し、この折り返した部分の先端部分をさらに折り曲げて、固定部１１裏面側に水平方向に延出させることにより形成したものである。窓枠サッシ５０の下端には断面Ｌ字状のアングルピース６８が取り付けられており、このアングルピース６８の板状部分が水平方向外側に延出している。この板状部分の上に水切部材１０Ａの水平延出部１１ｂを重ねてビス６４で固定し、その上からシーリング材６７を充填して防水処理を行っている。本実施例では、斜面部１２の固定部１１からの延出幅を最大にして、水切部材１０Ａが既存壁Ｗの表面付近から新たな外装材Ｂまでを覆うようにするとともに、前面部１５と外装材Ｂ表面との間に十分な間隔を確保している。
【００３３】
以上４つの実施例について説明したが、本発明による開口部下側部施工構造はこれらの実施例に限られるものではなく、既存壁の構造に応じて様々な施工態様とすることが可能である。また、水切部材の形状も上記の例に限られるものではなく、例えば補強のための折り返し部１１ａ，１５ａは形成しなくてもよいし、あるいは、図９に示した例において固定部１１に水平延出部１１ｂを設けたように、水切部材を留め付ける箇所の構造に応じて固定部の形状を変更してもよい。
【図面の簡単な説明】
【００３４】
【図１】本発明による開口部下側部水切部材を示す斜視図。
【図２】図１に示す水切部材を構成する２つの部材を示す斜視図。
【図３】図２のＩＩＩａ―ＩＩＩａ線およびＩＩＩｂ―ＩＩＩｂ線による断面図。
【図４】図１に示す水切部材の斜面部の延出幅を最大にした状態を示す斜視図。
【図５】図１に示す水切部材の斜面部の延出幅を最小にした状態を示す斜視図。
【図６】図１に示す水切部材を用いた開口部施工構造の一例を示す断面図。
【図７】図１に示す水切部材を用いた開口部施工構造の他の例を示す断面図。
【図８】図１に示す水切部材を用いた開口部施工構造のさらに他の例を示す断面図。
【図９】図１に示す水切部材を用いた開口部施工構造のさらに他の例を示す断面図。
【図１０】従来の開口部施工構造の一例を示す斜視図。
【図１１】図１０に示す施工構造の開口部下側部付近を拡大して示す断面図。
【図１２】従来の開口部施工構造の他の例を示す断面図。
【図１３】従来の開口部施工構造のさらに他の例を示す断面図。
【符号の説明】
【００３５】
１０…水切部材，１１…固定部，１２…斜面部，１３…第１斜面部，１４…第２斜面部，１５…前面部，１６…挟持部，５０…既存の窓枠サッシ，６０…開口部，Ｂ…外装材，Ｗ…既存壁
【図１】
2005232857.tif 000003
【図２】
2005232857.tif 000004
【図３】
2005232857.tif 000005
【図４】
2005232857.tif 000006
【図５】
2005232857.tif 000007
【図６】
2005232857.tif 000008
【図７】
2005232857.tif 000009
【図８】
2005232857.tif 000010
【図９】
2005232857.tif 000011
【図１０】
2005232857.tif 000012
【図１１】
2005232857.tif 000013
【図１２】
2005232857.tif 000014
【図１３】
2005232857.tif 000015